(57)【要約】【課題】氷点下環境においても袋ナットの防水性を確保する。【解決手段】袋ナット４は、ボルト３がねじ込まれるナット部４ａと、ナット部４ａにねじ込まれたボルト３の先端部を被覆する袋部４ｂと、袋部４ｂに充填され袋部４ｂとボルト３の先端部との隙間を埋める粘性のある樹脂材４ｃとを有し、袋部４ｂ内への水の浸入を防止する。【選択図】図１
2017219062.tif 000002
【特許請求の範囲】
【請求項１】
被締結部材同士を締結するボルトと袋ナットとを備え、
前記袋ナットは、前記ボルトがねじ込まれるナット部と、前記ナット部にねじ込まれた前記ボルトの先端部を被覆する袋部と、前記袋部に充填され前記袋部と前記ボルトの先端部との隙間を埋める粘性のある樹脂材とを有することを特徴とするボルト締結構造。
【請求項２】
前記樹脂材は、前記ボルトの先端部が接触することによって破断されるカプセルに収容されていることを特徴とする請求項１記載のボルト締結構造。
【請求項３】
前記袋部は、前記ナット部に連通する穴が形成されており、前記ボルトの先端部が前記穴に入ることを特徴とする請求項１記載のボルト締結構造。
【請求項４】
前記ボルトは、頭部と、雄ねじ形状のねじ部と、前記ねじ部の先端部から前記頭部の縁までのびた溝とを有し、前記溝は、前記樹脂材を前記袋部から排出する排出路であることを特徴とする請求項１記載のボルト締結構造。
【請求項５】
前記被締結部材と前記ボルトとの間に設置されるワッシャを備え、
前記ワッシャは、前記排出路内の前記樹脂材を外部へ排出する抜け穴を有することを特徴とする請求項４記載のボルト締結構造。
【請求項６】
前記袋ナットは、前記被締結部材に飛石溶接された状態であって、飛び飛びに形成された溶接部分同士の隙間は、前記排出路内の前記樹脂材を外部へ排出する抜け穴であることを特徴とする請求項４記載のボルト締結構造。
【請求項７】
被締結部材同士を締結するボルトと袋ナットとを備え、
前記袋ナットは、前記ボルトがねじ込まれるナット部と、前記ナット部にねじ込まれた前記ボルトの先端部を被覆する袋部とを有し、
前記ボルトは、頭部と、雄ねじ形状のねじ部と、前記ねじ部の先端部から前記頭部の縁までのびた溝とを有し、前記溝は、前記袋部に浸入した水を排出する排出路であることを特徴とするボルト締結構造。
【請求項８】
被締結部材同士を締結するボルトと袋ナットとを備え、
前記袋ナットは、前記ボルトがねじ込まれるナット部と、前記ナット部にねじ込まれた前記ボルトの先端部を被覆する袋部と、前記袋部内に設置されたダンパとを有することを特徴とするボルト締結構造。
【請求項９】
請求項１から請求項８のうちのいずれか１項記載のボルト締結構造を備え、前記ボルト締結構造によって筐体母材である被締結部材同士が締結されている屋外設置筐体。
【発明の詳細な説明】
【技術分野】
【０００１】
この発明は、防水性を確保したボルト締結構造、およびこのボルト締結構造を適用した屋外設置筐体に関するものである。
【背景技術】
【０００２】
従来、筐体を構成する部品を固定する締結構造として、例えばボルトとナットが使用される。屋外に設置される屋外設置筐体においては、雨水などが筐体内部へ浸入するのを防ぐために、筐体外部に露出するボルトまたはナットの先端にキャップが取り付けられ、キャップ内部にシール材が充填された構造がある（例えば、特許文献１参照）。この構造の場合、キャップ内部に充填されたシール材は、直射日光および風雨から保護されることによって劣化が抑制される。一方、キャップ、キャップを固定する取付ボルト、およびキャップ内部への雨水等の浸入を防止するゴムパッキング等、構成部品が多く、組み立て作業性が悪い。また、キャップの薄板部分に、ゴムパッキング設置用の構造を形成するのは困難である。ゴムパッキングの代わりに、キャップと取付ボルトとの締結部分の外周を溶接した場合、締結部分からの水の浸入は防げるが、一度組み立てた部品を取り外すことが困難である。
【０００３】
特許文献２には、ボルトのねじ先端面とナットの先端面との間に凹部が形成され、この凹部に充填材が充填された後、ボルトとナットに防錆塗装が施された構造について記載されている。ボルトのねじに、例えば、ピンテール破断面の尖り部やねじ山の先端のように尖った部位があっても、これらがナット先端面よりも突出せず、凹部内の防錆塗料および充填材に埋没されることになるので、尖った部位に対しても防錆塗料の膜厚を確保でき、膜厚不足に起因する発錆を防止できる。一方、充填材を充填し防錆塗料を塗布した後では部品の取り外しが困難になるため、繰り返し締結できない。また、ボルトまたはナットと、被締結部材との隙間からの水の浸入を防ぐことができない。たとえ防水を意図して防錆塗料を塗布した場合でも、膜厚のばらつきが大きく、一定の防水性を確保することが困難である。
【０００４】
水が降りかかる環境で使用される筐体または内部に水を流通させる筐体の場合、締結部分からの水の浸入または水の漏れを防止する構造として、ナットの先端に袋部が溶接された袋ナットが使用されるものがある（例えば、特許文献３参照）。袋部の気密が保たれていれば、水がねじを伝って筐体内部に浸入することまたは筐体外部へ漏れることはない。また、袋ナットにより締結構造に防水性を持たせるため、特許文献１のようにキャップと取付ボルトとの締結部分の外周を溶接する必要がなく、ゴムパッキング等も不要である。
【先行技術文献】
【特許文献】
【０００５】
【特許文献１】実開平６−１４５３０号公報
【特許文献２】特開２００９−５２６０２号公報
【特許文献３】特開２００７−３２７６９号公報
【発明の概要】
【発明が解決しようとする課題】
【０００６】
従来の袋ナットにおいては、袋部内に浸入した水が排出されず、残留する。そのため、屋外設置筐体が氷点下の環境に設置された場合、袋ナットの袋部内に残留した水が凍結し、凍結時の水の膨張により袋部とナットとの溶接部分が破損し、防水性が損なわれるという課題があった。
【０００７】
この発明は、上記のような課題を解決するためになされたもので、氷点下環境においても袋ナットの防水性を確保することを目的とする。
【課題を解決するための手段】
【０００８】
この発明に係るボルト締結構造は、被締結部材同士を締結するボルトと袋ナットとを備え、袋ナットは、ボルトがねじ込まれるナット部と、ナット部にねじ込まれたボルトの先端部を被覆する袋部と、袋部に充填され袋部とボルトの先端部との隙間を埋める粘性のある樹脂材とを有するものである。
【発明の効果】
【０００９】
この発明によれば、袋ナットの袋部には、袋部とボルトの先端部との隙間を埋める粘性のある樹脂材が充填されているので、袋ナットの袋部内への水の浸入を防止することができる。そのため、氷点下環境においても袋ナットの防水性を確保することができる。
【図面の簡単な説明】
【００１０】
【図１】この発明の実施の形態１に係る屋外設置筐体のボルト締結構造を示す外観図である。
【図２】実施の形態１に係る屋外設置筐体のボルト締結構造を示す断面図である。
【図３】この発明の実施の形態２に係る屋外設置筐体のボルト締結構造を示す外観図である。
【図４】実施の形態２に係る屋外設置筐体のボルト締結構造を示す断面図である。
【図５】実施の形態２に係る屋外設置筐体のボルト締結構造の変形例を示す外観図である。
【図６】実施の形態２に係る屋外設置筐体のボルト締結構造の変形例として示すワッシャの平面図である。
【図７】この発明の実施の形態３に係る屋外設置筐体のボルト締結構造を示す外観図である。
【図８】この発明の実施の形態４に係る屋外設置筐体のボルト締結構造を示す外観図である。
【発明を実施するための形態】
【００１１】
実施の形態１．
図１は、この発明の実施の形態１に係る屋外設置筐体のボルト締結構造を示す外観図であり、図２は断面図である。ただし、図２においてボルト３のみ外観を示す。屋外設置筐体は、水が降りかかる可能性がある屋外環境に設置される。この屋外設置筐体は、筐体母材である被締結部材１，２を備えている。この被締結部材１，２同士は、ボルト３と袋ナット４を用いたボルト締結構造によって締結されている。
【００１２】
ボルト３は、頭部３ａと、雄ねじ形状のねじ部３ｂとを備えている。被締結部材１とボルト３との間には、ワッシャ５が設置されている。ワッシャ５は必須の部品ではなく、省略可能である。被締結部材１，２には、ボルト３のねじ部３ｂが貫通する穴が形成されている。
【００１３】
袋ナット４は、ボルト３がねじ込まれるナット部４ａと、ボルト３のねじ部３ｂの先端部を被覆する袋部４ｂと、袋部４ｂに充填され袋部４ｂとボルト３のねじ部３ｂの先端部との隙間を埋める粘性のある樹脂材４ｃとを備えている。ナット部４ａは、貫通ナット形状であり、内部には、ねじ部３ｂにかみ合う雌ねじが形成されている。また、ナット部４ａの一端部には被締結部材２が溶接されており、他端部には袋部４ｂが溶接されている。ナット部４ａの内部と袋部４ｂの内部とは、穴４ｄを通じて連通している。図示例では、袋部４ｂが半球形状になっているが、形状は自由である。樹脂材４ｃは、袋部４ｂの内部空間に充填された、シーリング材等の粘性のある樹脂である。この樹脂材４ｃは、凍結により膨張しない、または膨張しにくい材料であり、かつ、水より粘性が高く流動性が悪いものとする。樹脂材４ｃは、例えばシリコーンである。
【００１４】
次に、ボルト３の締結手順を説明する。
作業者は、まず、被締結部材２に形成された穴の縁部に、袋ナット４のナット部４ａを溶接し、袋部４ｂ内に樹脂材４ｃを充填する。作業者は、ボルト３を袋ナット４に締結したときにねじ部３ｂの先端部と袋部４ｂとの隙間が無くなるよう、樹脂材４ｃの充填量を管理する。図示例では、袋部４ｂの容積に等しい量の樹脂材４ｃが充填される。続いて、作業者は、被締結部材１，２の各穴の位置をそろえた状態で、ボルト３を袋ナット４に締結する。このとき、ボルト３のねじ部３ｂが、袋ナット４のナット部４ａにねじ込まれていき、ねじ部３ｂの先端部が袋部４ｂに到達する。袋部４ｂの内部には、粘性のある樹脂材４ｃが充填されているため、袋部４ｂとねじ部３ｂの先端部との隙間はこの樹脂材４ｃによって埋まる。
【００１５】
次に、ボルト締結構造の防水性を説明する。
ボルト３の頭部３ａ側が筐体外部、袋ナット４側が筐体内部であるものとする。矢印Ａで示すように、雨水等は、頭部３ａとワッシャ５との隙間またはワッシャ５と被締結部材１との隙間から、ねじ部３ｂとナット部４ａとの隙間を通り、袋部４ｂへと浸入する。被締結部材２とナット部４ａとの間、およびナット部４ａと袋部４ｂとの間は、溶接により気密性が保たれているため、矢印Ａで示すように水が浸入しても、袋ナット４から水が漏れることはない。よって、筐体内部の防水性は保たれる。
【００１６】
また、袋部４ｂの内部には、水より粘性が高い樹脂材４ｃが充填されているため、矢印Ａで示すように水が浸入しても、袋部４ｂへは浸入できない。
袋部４ｂの内部に樹脂材４ｃが充填されておらず空洞である場合、袋部４ｂに水が浸入し、残留する。袋部４ｂ一杯に溜まった水が氷点下環境におかれて凍結膨張すると、袋部４ｂおよびナット部４ａに負荷がかかり、袋部４ｂとナット部４ａとの溶接部分が破損し、防水性が損なわれることがある。これに対し、実施の形態１においては、袋部４ｂ内に水が浸入できないため、水の凍結膨張による溶接部分の破損を防ぐことができ、防水性を損ねることはない。さらに、樹脂材４ｃは、凍結による膨張がない材料が選定されているため、樹脂材４ｃが氷点下環境におかれて凍結しても、袋部４ｂおよびナット部４ａに負荷がかからず、袋部４ｂとナット部４ａとの溶接部分の破損を防ぐことができ、防水性を損ねることはない。
【００１７】
以上のように、実施の形態１に係るボルト締結構造は、被締結部材１，２同士を締結するボルト３と袋ナット４とを備え、袋ナット４は、ボルト３がねじ込まれるナット部４ａと、ナット部４ａにねじ込まれたボルト３の先端部を被覆する袋部４ｂと、袋部４ｂに充填され袋部４ｂとボルト３の先端部との隙間を埋める粘性のある樹脂材４ｃとを有する構成である。この構成により、袋ナット４の袋部４ｂ内への水の浸入を防止することができる。また、袋部４ｂ内への水の浸入を防止したことによって袋ナット４の氷点下環境での防水性を確保できるため、このボルト締結構造を屋外筐体装置に適用した場合、氷点下環境においても屋外筐体装置の防水性を確保できる。
【００１８】
なお、樹脂材４ｃは、カプセルに収容されていてもよい。この構成の場合、袋部４ｂの内部には、粘性のある樹脂材４ｃを収容したカプセルが設置され、ナット部４ａにねじ込まれたねじ部３ｂの先端部がカプセルに接触する。そして、ボルト３が袋ナット４に締結される際に発生する圧力によってカプセルが破断し、樹脂材４ｃがカプセルから流れ出て袋部４ｂとねじ部３ｂの先端部との隙間を埋める。粘性のある樹脂材４ｃをカプセルに収容することにより、樹脂材４ｃを袋部４ｂに充填する作業が不要になる。また、樹脂材４ｃを袋部４ｂに充填する際に袋ナット４のねじ山部分に樹脂材４ｃが付着することが無くなるので、ボルト３を締結する際に袋ナット４とボルト３との間に樹脂材４ｃが挟み込まれることが無くなり、樹脂材４ｃがボルト３の締付トルク不足およびボルト３の緩みの原因となることを防止できる。
【００１９】
実施の形態２．
実施の形態１においては、袋部４ｂの内部空間に粘性のある樹脂材４ｃが充填されていた。この構成の場合、樹脂材４ｃの充填量が多すぎると、ボルト３が締まりきらなくなったり、ボルト３を締め付けた際に発生する袋ナット４の内部圧力により袋部４ｂに負荷がかかり、袋部４ｂとナット部４ａとの溶接部分が破損したりする可能性がある。そのため、実施の形態１に係るボルト締結構造においては、樹脂材４ｃの充填量を管理する必要があった。これに対し、実施の形態２では、樹脂材４ｃの充填量を管理する必要がないボルト締結構造にする。
【００２０】
図３は、この発明の実施の形態２に係る屋外設置筐体のボルト締結構造を示す外観図であり、図４は断面図である。ただし、図４においてボルト３のみ外観を示す。図３および図４において図１および図２と同一または相当する部分は、同一の符号を付し説明を省略する。
【００２１】
実施の形態２において、ボルト３は、袋部４ｂに充填された樹脂材４ｃを、袋部４ｂから排出する排出路３ｃを有している。この排出路３ｃは、例えば、ねじ部３ｂの先端部から頭部３ａの縁までのびた溝である。
【００２２】
ボルト３のねじ部３ｂが袋ナット４のナット部４ａにねじ込まれていく際、袋部４ｂの容積を超えて充填されている余分な樹脂材４ｃが、矢印Ｂで示すように排出路３ｃを通って袋部４ｂの外部に排出される。図示例では、排出路３ｃがねじ部３ｂの先端部から頭部３ａの縁までのびているため、ボルト３と袋ナット４の締結時、袋部４ｂから排出路３ｃに排出された樹脂材４ｃはそのまま排出路３ｃを通って筐体外部に排出される。余分な樹脂材４ｃが排出されるため、ボルト３の締め付けが不完全になること、および袋部４ｂとナット部４ａの内部に圧力が発生して両者の溶接部分が破損することがなく、防水性が確保できる。また、樹脂材４ｃの充填量を管理する必要が無くなるので、袋部４ｂに樹脂材４ｃを充填する際の作業性が向上する。
【００２３】
また、実施の形態２では、ボルト３のねじ部３ｂが袋ナット４のナット部４ａにねじ込まれていく際、ねじ部３ｂの先端部が、ナット部４ａと袋部４ｂとを連通している穴４ｄに入り、袋部４ｂの内部へ到達する構成である。穴４ｄの直径はねじ部３ｂの外径より大きいものとする。この構成により、余分な樹脂材４ｃが、穴４ｄとねじ部３ｂとの隙間を通って袋部４ｂの外部に排出される。袋部４ｂの外部に排出された樹脂材４ｃは、ねじ部３ｂの排出路３ｃを通って筐体外部に排出される。
【００２４】
ボルト３に排出路３ｃを設けるだけでなく、排出路３ｃに連通する抜け穴を袋ナット４またはワッシャ５の少なくとも一方に設けてもよい。
【００２５】
図５を参照して、袋ナット４に抜け穴７を設ける場合の例を説明する。図５は、ボルト締結構造の外観図である。
実施の形態１では、被締結部材２と袋ナット４のナット部４ａとの外周部分が、隙間なく溶接される。これに対し、実施の形態２では、被締結部材２とナット部４ａとの外周部分が、飛び飛びに一定区間に区切って溶接される。いわゆる飛石溶接により被締結部材２とナット部４ａとの外周部分が溶接されることにより、溶接部分６同士の隙間が樹脂材４ｃの抜け穴７となる。この構成により、ボルト３の排出路３ｃを通って頭部３ａ側に流れ出た余分な樹脂材４ｃが、抜け穴７からはみ出して袋ナット４の外部に逃げる。そのため、ボルト３の締め付けが不完全になること、および袋部４ｂとナット部４ａの内部に圧力が発生して溶接部分が破損することがなく、防水性が確保できる。また、樹脂材４ｃの充填量を管理する必要が無くなるので、袋部４ｂに樹脂材４ｃを充填する際の作業性が向上する。
【００２６】
図６を参照して、ワッシャ５に抜け穴５ａを設ける場合の例を説明する。図６は、ワッシャ５の平面図である。
ワッシャ５は、ボルト３の排出路３ｃ内の樹脂材４ｃを外部へ排出する抜け穴５ａを有している。この抜け穴５ａは、例えば、ワッシャ５の内周縁から外周縁までのびた溝である。この構成により、ボルト３の排出路３ｃを通って頭部３ａ側に流れ出た余分な樹脂材４ｃが、抜け穴５ａからはみ出して袋ナット４の外部に逃げる。そのため、ボルト３の締め付けが不完全になること、および袋部４ｂとナット部４ａの内部に圧力が発生して溶接部分が破損することがなく、防水性が確保できる。また、樹脂材４ｃの充填量を管理する必要が無くなるので、袋部４ｂに樹脂材４ｃを充填する際の作業性が向上する。
【００２７】
以上のように、実施の形態２に係るボルト締結構造において、袋ナット４の袋部４ｂは、ナット部４ａに連通する穴４ｄが形成されており、ボルト３のねじ部３ｂの先端部が穴４ｄに入る構成である。この構成により、袋部４ｂ内の余分な樹脂材４ｃを、ねじ部３ｂの先端部と穴４ｄとの隙間から排出することができる。そのため、ボルト３の締め付けが不完全になること、および袋部４ｂとナット部４ａの内部に圧力が発生して溶接部分が破損することがなく、防水性が確保できる。また、樹脂材４ｃの充填量を管理する必要が無くなるので、袋部４ｂに樹脂材４ｃを充填する際の作業性が向上する。
【００２８】
また、実施の形態２によれば、ボルト３は、頭部３ａと、雄ねじ形状のねじ部３ｂと、ねじ部３ｂの先端部から頭部３ａの縁までのびた溝とを有し、この溝を、樹脂材４ｃを袋部４ｂから排出する排出路３ｃとする構成である。この構成により、ボルト３と袋ナット４の締結時に、袋部４ｂ内の余分な樹脂材４ｃを排出することができる。そのため、ボルト３の締め付けが不完全になること、および袋部４ｂとナット部４ａの内部に圧力が発生して溶接部分が破損することがなく、防水性が確保できる。また、樹脂材４ｃの充填量を管理する必要が無くなるので、袋部４ｂに樹脂材４ｃを充填する際の作業性が向上する。
【００２９】
また、実施の形態２によれば、被締結部材１とボルト３との間に設置されるワッシャ５が、排出路３ｃ内の樹脂材４ｃを外部へ排出する抜け穴５ａを有する構成であってもよい。この構成にした場合も、ボルト３と袋ナット４の締結時に、袋部４ｂ内の余分な樹脂材４ｃを排出することができる。
【００３０】
また、実施の形態２によれば、袋ナット４が、被締結部材２に飛石溶接された状態であってもよい。この構成の場合、飛び飛びに形成された溶接部分６同士の隙間を、排出路３ｃ内の樹脂材４ｃを外部へ排出する抜け穴７とする。そのため、ボルト３と袋ナット４の締結時に、袋部４ｂ内の余分な樹脂材４ｃを排出することができる。
【００３１】
実施の形態３．
実施の形態２においては、袋部４ｂの内部空間に粘性のある樹脂材４ｃが充填されていた。これに対し、実施の形態３においては、袋部４ｂの内部空間に樹脂材４ｃを充填せず、空洞のままにする。
【００３２】
図７は、この発明の実施の形態３に係る屋外設置筐体のボルト締結構造を示す外観図である。図７において図３および図４と同一または相当する部分は、同一の符号を付し説明を省略する。
【００３３】
実施の形態３において、ボルト３には排出路３ｃが形成されている。袋ナット４の袋部４ｂは内部が空洞である。ナット部４ａの被締結部材２側の端部は、被締結部材２に対して隙間なく溶接されている。この構成の場合、雨水等は、頭部３ａとワッシャ５との隙間またはワッシャ５と被締結部材１との隙間から、ねじ部３ｂとナット部４ａとの隙間を通り、袋部４ｂへと浸入して溜まる。袋部４ｂに溜まった水が凍結する際、排出路３ｃが膨張した水の逃げ道となる。そのため、氷点下環境において袋部４ｂ内の水が凍結しても、袋部４ｂおよびナット部４ａに負荷がかからず、袋部４ｂとナット部４ａとの溶接部分の破損を防ぐことができ、防水性を損ねることはない。また、樹脂材４ｃを袋部４ｂに充填する作業が不要になるので、ボルト３と袋ナット４との間に樹脂材４ｃが挟み込まれることが無くなり、樹脂材４ｃがボルト３の締付トルク不足およびボルト３の緩みの原因となることを防止できる。
【００３４】
以上のように、実施の形態３に係るボルト締結構造は、被締結部材１，２同士を締結するボルト３と袋ナット４とを備え、袋ナット４は、ボルト３がねじ込まれるナット部４ａと、ナット部４ａにねじ込まれたボルト３の先端部を被覆する袋部４ｂとを有し、ボルト３は、頭部３ａと、雄ねじ形状のねじ部３ｂと、ねじ部３ｂの先端部から頭部３ａの縁までのびた溝とを有し、この溝を、袋部４ｂに浸入した水を排出する排出路３ｃとする構成である。この構成により、袋ナット４の氷点下環境での防水性を確保できるため、このボルト締結構造を屋外設置筐体に適用した場合、氷点下環境においても屋外筐体装置の防水性を確保できる。
【００３５】
実施の形態４．
実施の形態１においては、袋部４ｂの内部空間に粘性のある樹脂材４ｃが充填されていた。これに対し、実施の形態４においては、袋部４ｂの内部空間にダンパを設置する。
【００３６】
図８は、この発明の実施の形態４に係る屋外設置筐体のボルト締結構造を示す外観図である。図８において図１および図２と同一または相当する部分は、同一の符号を付し説明を省略する。
【００３７】
実施の形態４において、袋部４ｂの内部空間にはダンパ８が設置されている。このダンパ８は、袋部４ｂに溜まった水の凍結膨張による体積変形を吸収する。ダンパ８の材料としては、例えば、独立気泡スポンジまたは風船等がある。この構成の場合、雨水等は、頭部３ａとワッシャ５との隙間またはワッシャ５と被締結部材１との隙間から、ねじ部３ｂとナット部４ａとの隙間を通り、袋部４ｂへと浸入して溜まる。袋部４ｂに溜まった水が凍結する際、ダンパ８が変形することによって水の凍結膨張による体積変形を吸収する。そのため、氷点下環境において袋部４ｂ内の水が凍結しても、袋部４ｂおよびナット部４ａに負荷がかからず、袋部４ｂとナット部４ａとの溶接部分の破損を防ぐことができ、防水性を損ねることはない。また、樹脂材４ｃを袋部４ｂに充填する作業が不要になるので、ボルト３と袋ナット４との間に樹脂材４ｃが挟み込まれることが無くなり、樹脂材４ｃがボルト３の締付トルク不足およびボルト３の緩みの原因となることを防止できる。さらに、樹脂材４ｃを袋部４ｂに充填する場合、ボルト３を取り外すごとに樹脂材４ｃの再充填が必要となるが、ダンパ８であれば特別な作業なしにボルト３の取り付けと取り外しを繰り返すことができる。
【００３８】
以上のように、実施の形態４に係るボルト締結構造は、被締結部材１，２同士を締結するボルト３と袋ナット４とを備え、袋ナット４は、ボルト３がねじ込まれるナット部４ａと、ナット部４ａにねじ込まれたボルト３の先端部を被覆する袋部４ｂと、袋部４ｂ内に設置されたダンパ８とを有する構成である。この構成により、袋部４ｂに浸入した水が凍結膨張した際の体積変形がダンパ８により吸収され、袋ナット４の氷点下環境での防水性が確保される。そのため、このボルト締結構造を屋外設置筐体に適用した場合、氷点下環境においても屋外筐体装置の防水性を確保できる。
【００３９】
なお、本発明はその発明の範囲内において、各実施の形態の自由な組み合わせ、各実施の形態の任意の構成要素の変形、または各実施の形態の任意の構成要素の省略が可能である。
【００４０】
また、この発明の各実施の形態において説明したボルト締結構造は、屋外設置筐体への適用に限定されるものではなく、例えば、内部に水を流通させるバルブ装置などの筐体に適用してもよい。ボルト締結構造を、内部に水を流通させるバルブ装置などの筐体に適用した場合、水が外部へ漏れることを防止できる。
【符号の説明】
【００４１】
１，２  被締結部材、３  ボルト、３ａ  頭部、３ｂ  ねじ部、３ｃ  排出路、４  袋ナット、４ａ  ナット部、４ｂ  袋部、４ｃ  樹脂材、４ｄ  穴、５  ワッシャ、５ａ，７  抜け穴、６  溶接部分、８  ダンパ。
【図１】
2017219062.tif 000003
【図２】
2017219062.tif 000004
【図３】
2017219062.tif 000005
【図４】
2017219062.tif 000006
【図５】
2017219062.tif 000007
【図６】
2017219062.tif 000008
【図７】
2017219062.tif 000009
【図８】
2017219062.tif 000010